(57)【要約】 【課題】  ＩＣタグの記憶部に記憶されたデータ（すなわち情報）へのアクセスを物理的に制限し、その改ざんを困難とするとともに、その制限状態の目視確認を容易とし、かつ、処理作業が簡単なＩＣタグを提供することを目的とする。【解決手段】  ＩＣタグ１をタグ基部１０-０にタグ分離部１０-ｘを一体的に接合してなるタグ本体構造で構成し、上層の一のタグ分離部１０-ｘを、タグ基部１０-０を含む残余部分によって構成されるタグ本体１０に対して剥離（分離）することによって、当該一のタグ分離部１０-ｘが一体的に接合されている状態で予め記憶部１４の所定対応領域に記憶されているデータ（情報）を読み出しできなくしたり、この所定対応領域に新たにデータ（情報）を書き込みできなくしたりする。【選択図】  図１
2006031110.tif 000002
【特許請求の範囲】
【請求項１】
タグ本体はタグ基部に対して分離可能に装着されたタグ分離部を有して当初構成され、前記タグ分離部が前記タグ基部に装着されている当初状態では、該タグ本体は第１の機能を有し、前記タグ基部から前記タグ分離部が分離された状態では、前記タグ基部を含む残余部分によって構成されるタグ本体による機能が前記第１の機能に対して制限又は制限解除された第２の機能に変化することを特徴とするタグ。
【請求項２】
前記タグ分離部は、前記タグ基部に装着されている状態で、当該タグ分離部を除いた前記タグ基部を含む残余部分によって構成されるタグ本体による前記第２の機能を制限解除又は制限することを特徴とする請求項１記載のタグ。
【請求項３】
前記タグ分離部は複数備えられ、各タグ分離部は互いに積層されて前記タグ基部に貼付されていることを特徴とする請求項１記載のタグ。
【請求項４】
前記タグ分離部は複数備えられ、前記各タグ分離部の露出する表面には、タグ相互で異なる配色又は模様が施されていることを特徴とする請求項１記載のタグ。
【請求項５】
前記タグ分離部は複数備えられ、前記タグ基部から前記１つのタグ分離部が分離される毎に、前記タグ基部を含む残余部分によって構成されるタグ本体による第２の機能は、当該１つのタグ分離部が分離される以前のタグ本体による第１の機能が制限又は制限解除されて変化することを特徴とする請求項１記載のタグ。
【請求項６】
前記タグ基部を含む残余部分によって構成されるタグ本体には、データを保存する記憶部が備えられており、
前記第１の機能は、該記憶部の所定記憶領域に対するデータ書き込み及びデータ読み出しを許容する機能であり、前記第２の機能は、該記憶部の当該所定記憶領域に対するデータ書き込み及びデータ読み出しの中の何れか一方を禁止して、他方のみを許容する機能である
ことを特徴とする請求項１記載のタグ。
【請求項７】
前記タグ基部を含む残余部分によって構成されるタグ本体には、データを保存する記憶部が備えられており、
前記第１の機能は、該記憶部の所定記憶領域に対するデータ書き込み又はデータ読み出しの少なくとも一方を許容する機能であり、前記第２の機能は、該記憶部の当該所定記憶領域に対するデータ書き込み及びデータ読み出しを禁止する機能である
ことを特徴とする請求項１記載のタグ。
【請求項８】
前記タグ基部を含む残余部分によって構成されるタグ本体には、データを保存する記憶部が備えられており、
前記第１の機能は、該記憶部の所定記憶領域に対するデータ書き込み及びデータ読み出しの中のいずれか一方を許容する機能であり、前記第２の機能は、該記憶部の当該所定記憶領域に対するデータ書き込み及びデータ読み出しを許容する機能である
ことを特徴とする請求項１記載のタグ。
【請求項９】
前記タグ基部を含む残余部分によって構成されるタグ本体には、データを保存する記憶部が備えられており、
前記第１の機能は、該記憶部の所定記憶領域に対するデータ書き込み及びデータ読み出しを禁止する機能であり、前記第２の機能は、該記憶部の当該所定記憶領域に対するデータ書き込み又はデータ読み出しの中の少なくとも一方を許容する機能である
ことを特徴とする請求項１記載のタグ。
【請求項１０】
前記タグ基部には、前記第１の機能又は第２の機能を実行制御する制御部が設けられ、該制御部には前記タグ分離部が装着状態のままか又は分離されてしまっているかを検出するための検出回路が付設されていることを特徴とする請求項１記載のタグ。
【請求項１１】
前記検出回路は、一端側が前記制御部から導出され、前記タグ分離部を介して延び、他端側が再び前記制御部に導入される閉ループ回路によって形成され、前記制御部は当該閉ループ回路の断線検知に基づいて前記タグ分離部の分離を検知することを特徴とする請求項１０記載のタグ。
【請求項１２】
前記制御部は、前記検出回路の一端側又は他端側のいずれか一方に基準電位を供給して、前記検出回路の一端側又は他端側のいずれか他方の電位が当該供給電位になっているか否かで前記タグ分離部の分離を検知することを特徴とする請求項１１記載のタグ。
【請求項１３】
前記タグ分離部の分離によって分断開放される前記閉ループ回路における一対の分断開放端の相互離間間隔は、５ｍｍ以下に近接されて配置されていることを特徴とする請求項１１記載のタグ。
【請求項１４】
前記閉ループ回路は、一のタグ分離部に対して複数設けられ、当該一のタグ分離部の分離によって分断開放される各閉ループ回路毎の一対の分断開放端は、当該一のタグ分離部の装着面上に分散配置されていることを特徴とする請求項１１記載のタグ。
【請求項１５】
前記各閉ループ回路毎の一対の分断開放端は、前記一のタグ分離部の装着面の周縁側部分上に分散配置され、前記一のタグ分離部は前記装着面の内方側部分で、前記タグ基部を含む残余部分によって構成されるタグ本体に分離可能に装着維持されていることを特徴とする請求項１４記載のタグ。
【請求項１６】
前記検出回路は、前記タグ基部及び前記タグ分離部それぞれに対応させて設けられた外部信号を受信するアンテナ回路であり、前記制御部は、該アンテナ回路それぞれの外部信号の受信状態から前記タグ分離部が装着状態のままか又は分離されてしまっているかを検出することを特徴とする請求項１０記載のタグ。
【請求項１７】
前記各アンテナ回路は、それぞれ異なる周波数に共振するように設計されていることを特徴とする請求項１６記載のタグ。
【請求項１８】
前記各アンテナ回路は、対応する前記タグ基部及び前記タグ分離部のそれぞれに互いの位置をずらせて配置され、前記タグ分離部には前記タグ基部に配置されたアンテナ回路のアンテナを覆うようにシールド部材が設けられ、前記タグ分離部が前記タグ基部に装着された状態では、前記タグ基部に配置されたアンテナ回路は外部信号を受信できないことを特徴とする請求項１６記載のタグ。
【請求項１９】
複数のタグ分離部が分離可能に装着されたタグ基部を含むタグ本体から前記１つのタグ分離部が分離される毎に、当該分離されたタグ分離部に対応するデータの記憶部への書き込みが制限されるタグを管理対象に添付するステップと、
管理対象の管理段階毎に、当該管理段階に対応する前記タグ分離部が前記タグ基部を含む残余のタグ本体に装着されている状態で、当該管理段階における固有のデータを書き込むステップと、
当該管理段階から次管理段階への移行に際して、当該管理段階に対応する前記タグ分離部を、前記タグ基部を含む残余のタグ本体から分離するステップと
からなることを特徴とする管理システム。
【発明の詳細な説明】
【技術分野】
【０００１】
本発明は、管理対象に添付されるタグに関し、特にデータの読み出し／書き込み機能を有するタグと、このタグを利用した管理システムとに関する。
【背景技術】
【０００２】
従来のタグの例としては、身近なところでは、小売店での盗難防止システムに利用されている無線ＩＣタグが知られている。この場合、無線ＩＣタグは音楽・映画ソフトや書籍等の商品に添付され、リーダが取り付けられ店舗出入り口に設置されているゲートを、この無線ＩＣタグが添付されたままの状態で商品が通過しようとした場合に、その出力手段から警告音等が発せられ、商品の盗難防止をはかるようになっている。
【０００３】
また、ＩＣタグは、その記憶部に種々の情報を記憶させておくことができることから、例えば、その記憶部に製造年月日，シリアル番号，製造工場等の情報を書き込んで製品毎に添付することによって製品の品質管理や、その記憶部に中継地，最終仕向け地，到着予定日等の情報を書き込んで荷毎に添付することによって流通における物流管理や、その記憶部に仕入日（入荷日），仕入価格等の情報を書き込んで商品毎に添付することによって小売店等における棚卸や返品等の在庫管理に利用されつつある。
【０００４】
このように、ＩＣタグは、記憶部に記憶された情報に基づきその添付対象に関連した情報を大量かつ迅速に処理することができることから、ＩＣタグを各種管理対象に添付することによって、管理コストの大幅な削減がはかれる。
【０００５】
ところで、従来のＩＣタグは、無線を利用してデータの読み書きを非接触で行うタイプの無線ＩＣタグが多く、この無線ＩＣタグは、一般的には図１４に示すような構成になっている。
【０００６】
図１４は、従来の一般的な無線ＩＣタグの構造と、この無線ＩＣタグを使用した一般的な管理システムの構成図である。
【０００７】
無線ＩＣタグ１０１は、無線通信用制御部１０３及び記憶部１０４を備えた数ｍｍ角程度の大きさのＩＣチップ１０２と、例えばコイルアンテナによって構成されたアンテナ部１０５とを基板上に一体的に搭載した、モジュール構成になっている。無線通信用制御部１０３は、記憶部１０４に対するデータの読み出し／書き込み制御機能も有する。ＩＣチップ１０２によって構成された無線通信用制御部１０３及び記憶部１０４は、ＩＣタグ１０１自体に別途付設された電池や、アンテナ部１０５からの受信電波を整流して生成した受信電力等を利用して駆動される。このように構成された無線ＩＣタグ１０１は、専用のリーダ／ライタ装置８０を用いて、その記憶部１０４に対して、非接触でデータの読み出し／書き込みを行うことができる（例えば、特許文献１参照）。
【０００８】
一方、このような無線ＩＣタグ１０１を利用した管理システムは、一般的に、無線ＩＣタグ１０１と、無線ＩＣタグ１０１に対してデータの読み出し／書き込みを行うリーダ／ライタ装置８０と、無線ＩＣタグ１０１が添付される管理対象の情報やその関連情報を蓄積したサーバ等のデータ処理装置９０とを有して構成されている。
【０００９】
リーダ／ライタ装置８０は、記憶部を有し無線通信用制御部としても機能する制御部８１と、制御部８１にそれぞれ接続されたアンテナ部８２及び表示部８３とを備えた構成になっている。アンテナ部８２は、無線ＩＣタグ１０１のアンテナ部１０５との間でその記憶部１０４に対するデータの読み出し／書き込みのための無線送受信を行う。表示部８３は、例えば、無線ＩＣタグ１０１の記憶部１０４からの読み出し情報、及び無線ＩＣタグ１０１の記憶部１０４に対する書き込み情報等、各種情報を表示する。また、リーダ／ライタ装置８０は、無線又は有線によりサーバ機能を有するデータ処理装置９０と接続され、無線ＩＣタグ１０１からの読み出し情報に基づきデータ処理装置９０に蓄積された当該無線ＩＣタグ１０１に関連するより詳細なデータにもアクセス可能になっている。
【００１０】
データ処理装置９０は、各無線ＩＣタグ１０１及び各無線ＩＣタグ１０１がそれぞれ添付された管理対象に関する情報を蓄積するサーバコンピュータによって構成され、管理対象について例えば品質管理，物流管理，又は在庫管理等といった管理処理も行う。データ処理装置９０は、管理情報を蓄積するための記憶装置が備えられたコンピュータ本体９１と、このコンピュータ本体９１にそれぞれ接続された出力部としての表示部９２及び入力部としての操作部９３を備えている。
【００１１】
そして、上述した従来の無線ＩＣタグ１０１を使用した管理システムでは、無線ＩＣタグ１０１からの読み出し情報、すなわち無線ＩＣタグ１０１の記憶部１０４に記憶されている情報に基づき、データ処理装置９０へは誰もがアクセス可能な構成になっている。
【００１２】
そのため、データ処理装置９０の記憶装置に記憶されている管理対象それぞれの秘密情報については、データ処理装置９０側で管理し、無線ＩＣタグ１０１からの読み出し情報に基づくデータ処理装置９０への不正アクセスに対しては、データ処理装置９０側でアクセス制限を設けておく必要があった。
【特許文献１】特開平９−６２９３４号公報
【発明の開示】
【発明が解決しようとする課題】
【００１３】
しかしながら、従来のＩＣタグ、及び従来のＩＣタグを使用した管理システムでは、リーダ／ライタ装置を介してＩＣタグとデータ処理装置との間でＩＣタグの記憶部に記憶されている情報の通信が必要なため、ＩＣタグを厳重な管理のもとに取り扱うようにするか、管理システムのデータ処理装置を共有可能な情報のみでしか利用できないシステム構成にすることが必要になり、ＩＣタグを利用した管理システム自体の利便性が損なわれる虞があった。
【００１４】
また、従来のＩＣタグ、及び従来のＩＣタグを利用した管理システムでは、ＩＣタグに設けられた記憶部からの情報の読み出しや、ＩＣタグの記憶部に対しての情報の入力（書き込み）・更新・修正を、比較的容易に行うことができ、ＩＣタグの記憶部に記憶された情報の管理を容易に行い得る反面、ＩＣタグの記憶部に記憶されている情報の漏洩やデータ改ざん等の危険を伴うといった問題点もあった。
【００１５】
そこで、従来のＩＣタグ、及び従来のＩＣタグを利用した管理システムでは、ＩＣタグの記憶部に記憶される情報自体を暗号化したり、データ処理装置側でのみ秘密情報を保存管理してＩＣタグの記憶部には秘密情報が保存されない構成にしたりすることによってセキュリティ対策を施しているが、そのために処理作業が複雑化するといった問題点があった。
【００１６】
本発明は、上記問題点を鑑みなされたものであって、ＩＣタグを分離可能な構成にすることによって、ＩＣタグの記憶部に記憶されたデータ（すなわち情報）へのアクセスを予め定められた状態を除いては物理的に制限し、その改ざんを困難とするとともに、その制限状態の目視確認を容易とし、かつ、処理作業が簡単なＩＣタグを提供することを目的とする。
【００１７】
また、本発明は、この物理的に分離可能なＩＣタグを利用した商品流通管理システムを提供することを目的とする。
【課題を解決するための手段】
【００１８】
本発明のタグは、ベースとなるタグ基部上に少なくとも１つのタグ分離部が分離可能に装着されている本体構造を有し、一のタグ分離部がタグ基部を含む残余部分によって構成されるタグ本体に装着されている当初状態では、当該一のタグ分離部及びタグ基部を含む残余部分によって構成されるタグ本体は第１の機能を有し、当該一のタグ分離部が分離された後は、タグ基部を含む残余部分によって構成されるタグ本体が前述した第１の機能に対して制限又は制限解除された第２の機能に変化することを特徴とする。
【００１９】
また、本発明の管理システムは、記憶部への書き込み／読み出しを制御する制御部を備えたタグ基部に複数のタグ分離部が分離可能に装着されたタグ本体を有し、このタグ分離部が分離される毎に、記憶部の当該分離されたタグ分離部に対応する記憶領域に対しての制御部による書き込みが制限されるタグを用い、このタグを管理対象に添付し、管理対象の管理段階毎に、当該管理段階に対応するタグ分離部が前記タグ基部を含む残余部分によって構成されるタグ本体に装着されている状態で、当該管理段階における固有のデータを当該タグ分離部に対応する記憶領域に書き込んだ後、当該管理段階から次管理段階への移行に際して、当該管理段階に対応する前記タグ分離部を、前記タグ基部を含む残余部分によって構成されるタグ本体から分離することを特徴とする。
【発明の効果】
【００２０】
本発明によれば、タグを、ベースとなるタグ基部上に少なくとも１つのタグ分離部が分離可能に装着された本体構造で構成し、このタグ分離部についてタグ基部を含む残余部分によって構成されるタグ本体に対して分離可能である構造を採用することによって、このタグ分離部が分離された後のタグ基部を含む残余部分によって構成されるタグ本体の機能を分離前に対して変化させることができ、後々のデータの改ざんが極めて困難なタグを提供することができる。
【００２１】
具体的には、タグ分離部がタグ基部を含む残余部分によって構成されるタグ本体に装着された当初の状態では、例えば管理対象である物品の製造番号等の基本的情報や個別特性データ等の部外秘データを、タグに備えられている当該タグ分離部に対応した一又は複数の記憶領域に保管し、その上で、当該タグ分離部をタグ基部を含む残余部分によって構成されるタグ本体から分離することによって、当該タグ分離部に対応した一又は複数の記憶領域へは書き込み制限がかかり読み出ししかできない状態、さらにはその読み出しもできない状態にすることができ、製造番号等の基本的情報の改ざん防止や個別特性データ等の部外秘データの秘匿が容易にはかれる。
【００２２】
また、ベースとなるタグ基部上に複数のタグ分離部が分離可能に装着された本体構造を有するタグにあっては、各タグ分離部の露出する表面に、タグ相互で異なる配色又は模様が施すことによって、現状のタグの機能状態が容易に識別可能になるとともに、分離忘れ等の事故も防止できる。さらに、タグが複数のタグ分離部をタグ基部上に分離可能に積層した本体構造を採用している場合には、最上層のタグ分離部の露出する表面に施された色や模様がその余のタグ分離部の表面に施された色や模様に対して支配的となるため、さらに現状のタグの機能状態についての識別性が向上する。
【００２３】
このように、本発明のタグ及び管理システムによれば、タグ分離部の分離によるタグの物理的な状態変化によってタグ基部を含む残余部分によって構成されるタグ本体による機能が変化することによって、強固なセキュリティ機能を持つタグ及び管理システムを提供することが可能になる。そのため、データの有効範囲や秘匿性にかかわらず、同一のタグで管理対象の管理段階に応じた管理を取り扱うことが可能になり、データの信頼性も高まる。
【発明を実施するための最良の形態】
【００２４】
まず、本発明の一実施の形態に係るタグの構成について、図面に基づき説明する。
図１は、本発明の一実施の形態に係るＩＣタグの構成図である。
図１において、ＩＣタグ１は、当初、タグ基部１０-０に対して複数のタグ分離部１０-１〜１０-ｎを一体的に接合した本体構造で構成されている。図示の例の場合は、タグ基部１０-０に、２つタグ分離部１０-１，１０-２が一体的に接合されている構成になっている。その接合に当たっては、第１のタグ構成部としてのタグ基部１０-０の一側面（表面）に第２のタグ構成部としての第１のタグ分離部１０-１の他側面（裏面）を対向させて相互に接合し、第１のタグ分離部１０-１の一側面（表面）に第３のタグ構成部としての第２のタグ分離部１０-２の他側面（裏面）を対向させて相互に接合した積層構造になっている。その際、タグ基部１０-０の一側面と第１のタグ分離部１０-１の他側面とはＩＣタグ１の第１の接合面１１-１を形成し、第１のタグ分離部１０-１の一側面と第２のタグ分離部１０-２の他側面とはＩＣタグ１の第２の接合面１１-２を形成する。
【００２５】
本実施の形態では、タグ基部１０-０は、入出力インタフェース部１２と、制御部１３と、記憶部１４-０とを備えて構成されている。また、第１のタグ分離部１０-１は記憶部１４-１を、第２のタグ分離部１０-２は記憶部１４-２をそれぞれ備えて構成されている。
【００２６】
タグ基部１０-０において、入出力インタフェース部１２は、図示せぬアンテナ部を介してリーダ／ライタ装置８０（図１４参照）との間で、記憶部１４（１４-０〜１４-２）に書き込むデータ、及び記憶部１４（１４-０〜１４-２）から読み出したデータの送受信を行う。
【００２７】
制御部１３は、記憶部１４-０に加え、タグ基部１０-０に対して第１のタグ分離部１０-１及び第２のタグ分離部１０-２が一体的に接合された状態で、第１のタグ分離部１０-１の記憶部１４-１及び第２のタグ分離部１０-２の記憶部１４-２にもそれぞれデータ接続されている。そのデータ接続に当たって、図示の例では、タグ基部１０-０の制御部１３と第１のタグ分離部１０-１の記憶部１４-１との間のデータ接続は、第１の接合面１１-１を構成するタグ基部１０-０の一側面，第１のタグ分離部１０-１の他側面それぞれに形成された接点部（図示略）を介して信号線接続されている。また、タグ基部１０-０の制御部１３と第２のタグ分離部１０-２の記憶部１４-２との間のデータ接続は、第１の接合面１１-１を構成するタグ基部１０-０の一側面，第１のタグ分離部１０-１の他側面それぞれに形成された接点部（図示略）、及び第２の接合面１１-２を構成する第１のタグ分離部１０-１の一側面，第２のタグ分離部１０-２の他側面それぞれに形成された接点部（図示略）を介して信号線接続されている。また、タグ基部１０-０の制御部１３と記憶部１４-０とは、ＩＣチップ１９で一体構成化されている。
【００２８】
その上で、制御部１３は、同じタグ基部１０-０に設けられた記憶部１４-０に加え、一体的に接合されてそれぞれデータ接続されている状態の第１のタグ分離部１０-１の記憶部１４-１及び第２のタグ分離部１０-２の記憶部１４-２に対しても、後述するようにしてデータの読み出し／書き込みを行う。その際、第１のタグ分離部１０-１の記憶部１４-１及び第２のタグ分離部１０-２の記憶部１４-２は、制御部１３から電力供給を受けることができる構成になっている。
【００２９】
なお、上述した制御部１３と第１のタグ分離部１０-１の記憶部１４-１との間の第１の接合面１１-１を介しての信号線接続、制御部１３と第２のタグ分離部１０-２の記憶部１４-２との間の第１の接合面１１-１，第２の接合面１１-２を介しての信号線接続の構成は、前述した接点部による当接接続構成に限るものではなく、当該接合面１１-１，１１-２部分を通過する信号線部分を脆弱構造にする等、第２の接合面１１-２で、第２のタグ分離部１０-２がタグ基部１０-０及び第１のタグ分離部１０-１からなるタグ接合体に対して、また第１の接合面１１-１で、第１のタグ分離部１０-１がタグ基部１０-０に対して分離するのを妨げない構成になってさえいればよい。
【００３０】
これにより、それぞれ分離された後の第２のタグ分離部１０-２に形成された記憶部１４-２、及び第１のタグ分離部１０-１に形成された記憶部１４-１は、タグ基部１０-０に形成された制御部１３との間のそれぞれ信号線接続（データ接続）が切断され、タグ基部１０-０に対しても物理的に分離する構成になっている。
【００３１】
そして、本実施の形態のＩＣタグ１は、本体１０がタグ基部１０-０及びタグ分離部１０-１，１０-２からなる３つのタグ構成部が一体的に接合されて接合されて構成される初期状態に対し、第２のタグ分離部１０-２をタグ基部１０-０及び第１のタグ分離部１０-１に対して分離した第１の分離状態、さらに第１のタグ分離部１０-１をタグ基部１０-０に対して分離した第２の分離状態に応じて、タグ基部１０-０を含む残余部分によって構成されているタグ本体１０のＩＣタグ１としての機能が変化する構成になっている。
【００３２】
図２は、本実施の形態のＩＣタグを構成するタグ基部及びタグ分離部それぞれに設けられた記憶部に関してのアクセス制限の説明図である。
【００３３】
ここで、タグ基部１０-０及びタグ分離部１０-１，１０-２それぞれに設けられた記憶部１４-０〜１４-２に関してのアクセス制限を説明するに当たって、本説明ではタグ基部１０-０及びタグ分離部１０-１，１０-２のそれぞれ記憶部１４-０〜１４-２は、図２に示すような記憶領域Ｍ０〜Ｍ２を備えた構成になっているものとして説明する。
【００３４】
図２に示すように、タグ基部１０-０に入出力インタフェース部１２，制御部１３とともに設けられた記憶部１４-０は、図示の例では、その記憶領域Ｍ０が各タグ構成部１０-０，１０-１，１０-２それぞれに対応させて、３つの記憶領域Ｍ００，Ｍ０１，Ｍ０２に分割された構成になっている。
【００３５】
なお、第１のタグ分離部１０-１に設けられた記憶部１４-１，第２のタグ分離部１０-２に設けられた記憶部１４-２も、上述したタグ基部１０-０の記憶領域Ｍ０と同様に、その記憶領域Ｍ１，Ｍ２それぞれをその余のタグ構成部１０-０，１０-２、１０-０，１０-１に対応させる等して機能的に分割することも可能であるが、本実施の形態の説明では理解容易のため、分割されていない構成を例に説明する。
【００３６】
図２においては、ＩＣタグ１におけるタグ基部１０-０に対してのタグ分離部１０-１，１０-２それぞれの分離状態を境界線２１，２２，２３で示している。ここで、境界線２１，２２は、前述した第１の接合面１１-１，第２の接合面１１-２にそれぞれ対応する。
【００３７】
境界線２３は、タグ基部１０-０に第１，第２のタグ分離部１０-１，１０-２が接合され、一体的な３つのタグ構成部１０-１〜１０-２によってタグ本体１０が構成されているＩＣタグ１の初期状態である。図中、各境界線２１，２２，２３に対して垂直方向に延びている破線矢印は、記憶部１４-０〜１４-２それぞれの記憶領域Ｍ０（Ｍ００，Ｍ０１，Ｍ０２），Ｍ１，Ｍ２へのアクセス制限を示している。この初期状態において、境界線２３を起点又は終点としてタグ構成部１０-０，１０-１，１０-２それぞれに延びる破線矢印が、初期状態における記憶部１４-０〜１４-２それぞれの記憶領域Ｍ０（Ｍ００），Ｍ１，Ｍ２への許容アクセスを示している。
【００３８】
境界線２２は、初期状態において、第２のタグ分離部１０-２のみをタグ基部１０-０及び第１のタグ分離部１０-１から分離し、タグ本体１０が互いに接合されたタグ基部１０-０と第１のタグ分離部１０-１とのみから構成されるＩＣタグ１の第１の分離状態におけるアクセス制限を示している。
【００３９】
この第１の分離状態では、境界線２２を起点又は終点としてタグ基部１０-０及び第１のタグ分離部１０-１それぞれに延びる破線矢印が、当該第１の分離状態における記憶部１４-０，１４-１それぞれの記憶領域Ｍ０（Ｍ００，Ｍ０１Ｍ０２），Ｍ１への許容アクセスを示している。
【００４０】
また、境界線２１は、ＩＣタグ１の第１の分離状態においてさらに第１のタグ分離部１０-１をタグ基部１０-０から分離し、タグ本体１０がタグ基部１０-０のみになったＩＣタグ１の第２の分離状態におけるアクセス制限を示している。
【００４１】
この第２の分離状態では、境界線２１を起点又は終点としてタグ基部１０-０に延びる点線矢印が、当該第２の分離状態における記憶部１４-０の記憶領域Ｍ０（Ｍ００，Ｍ０１，Ｍ０２）への許容アクセスを示している。
【００４２】
図３は、図２において説明したＩＣタグを構成するタグ基部及びタグ分離部それぞれに設けられた記憶部に関してのアクセス制限をまとめた表である。
【００４３】
タグ基部１０-０に第１，第２のタグ分離部１０-１，１０-２が積層されて一体化に接合されているＩＣタグ１の初期状態では、タグ基部１０-０の記憶部１４-０に形成された記憶領域Ｍ００，第１のタグ分離部１０-１の記憶部１４-１に形成された記憶領域Ｍ１，第２のタグ分離部１０-２の記憶部１４-２における記憶領域Ｍ２に、入出力インタフェース部１２から制御部１３を介してアクセス（書き込み／読み出し）が可能である。
【００４４】
したがって、初期状態では、各記憶領域Ｍ０１，Ｍ１，Ｍ２には複数の領域それぞれに共通の同一データや異なる項目のデータＣ１，Ｃ２，Ｌ１が入力可能である。しかしながら、タグ基部１０-０の記憶部１４-０における記憶領域Ｍ０１，Ｍ０２は、データの入出力（読み出し／書き込み）が不可能になっている。
【００４５】
次に、第２のタグ分離部１０-２を剥離（分離）し、タグ本体１０がタグ基部１０-０，第１のタグ分離部１０-１のみが積層された状態になった第１の分離状態では、第２のタグ分離部１０-２が分離されたことにより、記億部１４-２が制御部１３から切り離され、記憶領域Ｍ２に対するデータの入出力（読み出し／書き込み）が物理的に不可能になる。さらに、本実施の形態では、制御部１３による記憶部１４-０の記憶領域Ｍ００に対する書き込みが禁止され、読み出しのみが可能になる。また、新たに、制御部１３によるタグ基部１０-０の記憶部１４-０における記憶領域Ｍ０１，Ｍ０２に対してのデータＣ３，Ｃ４の入出力（読み出し／書き込み）が可能になる。なお、本実施の形態では、この第１の分離状態では、制御部１３による第１のタグ分離部１０-１における記憶部１４-１の記憶領域Ｍ１に対してのデータＬ２の入出力（読み出し／書き込み）は引続き可能になっている。
【００４６】
したがって、第１の分離状態では、新たにアクセスが可能になったタグ基部１０-０の記憶部１４-０における記憶領域Ｍ０１，Ｍ０２と、第１のタグ分離部１０-１における記憶部１４-１の記憶領域Ｍ１とには、それぞれに共通の同一データや異なる項目のデータＣ３，Ｃ４，Ｌ２の入出力（読み出し／書き込み）が可能である。また、タグ基部１０-０の記憶部１４-０における記憶領域Ｍ００からは、初期状態に書き込まれたデータＣ１の読み出しのみが可能になる。
【００４７】
次に、第１のタグ分離部１０-１を剥離し、タグ本体１０がタグ基部１０-０のみになったＩＣタグ１の第２の分離状態では、第１のタグ分離部１０-１が剥離すなわち分離されたことにより、記億部１４-１が制御部１３から切り離され、記憶領域Ｍ１に対するデータの入出力（読み出し／書き込み）が物理的に不可能になる。そして、制御部１３による記憶部１４-０の記憶領域Ｍ０１に対するデータの書き込みが禁止され、記憶部１４-０の記憶領域Ｍ００と同様に、第１の分離状態で書き込まれたデータＣ３の読み出しのみが可能になる。
【００４８】
したがって、第２の分離状態では、引続きアクセスが可能になっているタグ基部１０-０の記憶部１４-０における記憶領域Ｍ０２についてのみ、データＬ３の入出力（読み出し／書き込み）が可能になる。また、タグ基部１０-０の記憶部１４-０における記憶領域Ｍ００，Ｍ０１からは、初期状態，第１の分離状態で書き込まれたデータＣ１，Ｃ３の読み出しのみが可能になる。
【００４９】
本実施の形態によるＩＣタグ１によれば、タグ基部１０-０に対して複数のタグ分離部１０-１〜１０-ｎを分離可能にかつ一体的に接合してＩＣタグ１を構成し、さらにタグ基部１０-０及び各タグ分離部１０-１〜１０-ｎには対応する記憶部１４-０〜１４-ｎを形成したので、一のタグ分離部１０-ｘを、タグ基部１０-０を含む残余部分によって構成されるタグ本体１０に対して分離することによって、当該分離したタグ分離部１０-ｘに形成された記憶部１４-ｘに記憶されているデータ（情報）自体を当該ＩＣタグ１上から物理的に存在しえない状態にすることができる。
【００５０】
さらに、本実施の形態によるＩＣタグ１によれば、一のタグ分離部１０-ｘを分離することによって、タグ基部１０-０を含む残余部分によって構成されるタグ本体１０を構成するタグ基部１０-０及びタグ分離部１０-１〜１０-ｘ-1それぞれの記憶部１４-０〜１４-ｘ-1における各メモリ領域Ｍ-１〜Ｍ-ｘ-1に対するアクセスを、当該一のタグ分離部１０-ｘの分離に関連させて物理的に制限又は制限解除することができる。なお、このアクセス制限に関しては、図２及び図３に示した実施例のみに限定されるものではなく、その目的に合わせて適宜設定が可能である。
【００５１】
これらにより、本実施の形態によるＩＣタグ１は、当該ＩＣタグ１に関与する者相互間におけるデータの秘匿性を向上させることができるとともに、データの改ざんも困難にすることができる。
【００５２】
また、その秘匿、改ざん防止のための作業も、ＩＣタグ１のタグ分離部１０-ｘをタグ基部１０-０を含む残余部分によって構成されるタグ本体１０から物理的に分離するだけで済むので、その処理作業も容易になるとともに、現在のＩＣタグ１の制限状態も目視により容易に確認できる。
【００５３】
次に、本発明のＩＣタグの他の実施の形態について説明する。
前述の実施の形態では、タグ基部１０-０，第１のタグ分離部１０-１，第２のタグ分離部１０-２に、記憶部１４-０，１４-１，１４-２それぞれを対応させて設けたが、本実施の形態では、タグ基部１０-０に当該タグ基部１０-０に対応する記憶部１４-０を形成するのに加えて、タグ分離部すなわちその余のタグ構成部１０-１，１０-２に対応する記憶部１４-１，１４-２も，併せて形成したことを特徴とする。
【００５４】
図４は、本実施の形態のＩＣタグを構成するタグ基部及びタグ分離部それぞれに設けられた記憶部に関してのアクセス制限の説明図である。
【００５５】
本実施の形態のＩＣタグ１では、図４に示すように、ＩＣダグ１は、前述した複数（３つ）のタグ構成部１０-０，１０-１，１０-２それぞれに設けられた記憶部１４-０，１４-１，１４-２に代えて、タグ基部１０-０のみに上述の当該タグ基部１０-０を含む複数のタグ構成部１０-０，１０-１，１０-２それぞれに対応する記憶部１４-３を搭載し、当該記憶部１４-３の記憶領域Ｍ３を、図２に示した記憶領域Ｍ０と同様にして、記憶領域Ｍ３０〜Ｍ３４まで５分割している。各記憶領域Ｍ３０〜Ｍ３４は、その領域Ｍ３０は図２に示した領域Ｍ００に、領域Ｍ３１は領域Ｍ２に、領域Ｍ３２は領域Ｍ０１に、領域Ｍ３３は領域Ｍ１に、領域Ｍ３４は領域Ｍ０２にそれぞれ対応する。
【００５６】
本実施の形態でも、タグ基部１０-０に対して積層状態に接合された第１のタグ分離部１０-１，第２のタグ分離部１０-２それぞれについての有無の認識により、記憶部１４-３の第１，第２のタグ分離部１０-１，１０-２に対応した記憶領域Ｍ３０，Ｍ３１、記憶領域Ｍ３２，Ｍ３３にアクセス制限をかけることで、同様な作用・効果を奏することが可能になる。この場合のアクセス制限のかけ方としては、例えば、第１のタグ分離部１０-１，第２のタグ分離部１０-２のそれぞれ分離に基づく、後述するような記憶部１４-３の記憶領域Ｍ３０，Ｍ３１、記憶領域Ｍ３２，Ｍ３３に対する信号線接続の物理的遮断等が利用できる。
【００５７】
本実施の形態のＩＣダグ１によれば、アクセス制限はかかっているものの第１，第２のタグ分離部１０-１，１０-２に対応した記憶領域Ｍ３１，Ｍ３３が、第１，第２のタグ分離部１０-１，１０-２を分離した後もタグ基部１０-０とともに移動し、タグ本体１０として最後まで残る、という問題はあるが、第１，第２のタグ分離部１０-１，１０-２に記憶部１４-１，１４-２を形成する必要がなく、各タグ構成部１０-０，１０-１，１０-２にそれぞれ対応する記憶部１４-０〜１４-２を同一のタグ構成部（すなわち、タグ基部１０-０）上に形成可能で安価に実現できる。
【００５８】
また、本実施の形態によるタグ基部１０-０及び第１，第２のタグ分離部１０-１，１０-２にそれぞれ対応する記憶部１４-０〜１４-２をタグ基部１０-０上に全て形成したＩＣダグ１におけるアクセス制限のかけ方の別例として、必要に応じては、第１，第２のタグ分離部１０-１，１０-２が剥離された際に、記憶部１４-３の記憶領域Ｍ３１，Ｍ３３に記憶されているデータを抹消するように構成することも可能である。
【００５９】
次に、上述した如くの構成のＩＣダグ１を利用した管理システムの一実施の形態について、商品の流通管理に適用した場合を例に説明する。
【００６０】
図１〜４で説明したようなタグ基部１０-０に第１，第２のタグ分離部１０-１，１０-２が積層されて一体化に接合されているタグ本体構造のＩＣタグ１によれば、管理対象としての商品にこのＩＣタグ１を添付しておくことによって、例えば、流通経路に沿って物品が移動し、流通段階に応じて管理者が変わる毎に第１のタグ分離部１０-１，第２のタグ分離部１０-２を分離しながら、タグ基部１０-０を含む残余部分によって構成されているタグ本体１０をＩＣタグ１として使用することにより、流通段階全体の管理者で共有したいデータ，一部の管理者間でのみ共有するデータ，他の管理者には秘匿するデータを分けて管理することが可能になる。
【００６１】
図５は、本実施の形態のＩＣダグを商品流通管理システムに適用した場合を例に、流通段階におけるＩＣダグの状態例を示した図である。
【００６２】
図５では、図１及び図２、又は図４で説明した如くのＩＣタグ１が、例えば管理対象としての商品（物品）２００に貼付する等して添付され、その流通段階Ａ，Ｂ，Ｃといった経路を介して、管理者ａ，ｂ，ｃ間を順次移動する場合を表わしたものである。
【００６３】
例えば、流通段階Ａでは、管理者ａは、段階Ｂの管理者ｂ，段階Ｃの管理者ｃそれぞれにも共有させたい情報Ｃ１（図３参照）を領域Ｍ００（図２参照）又は領域Ｍ３０（図４参照）に書き込む。
【００６４】
反対に、管理者ａは、段階Ｂの管理者ｂ，段階Ｃの管理者ｃに対して秘匿しておきたい秘密情報Ｌ１（図３参照）があれば、領域Ｍ２（図２参照）又は領域Ｍ３１（図４参照）に書き込む。また、管理者ａは、段階Ｂの管理者ｂには共有させるが、段階Ｃの管理者ｃには秘匿したい情報Ｃ２（図３参照）を領域Ｍ１（図２参照）又は領域Ｍ３３（図４参照）に書き込む。
【００６５】
これにより、管理者ａは、段階Ａから段階Ｂへの出荷に際して、ＩＣタグ１の第２のタグ分離部１０-２をタグ基部１０-０及び第１のタグ分離部１０-１の接合体からなる残余のタグ本体１０に対して剥離することで、第１のタグ分離部１０-１，第２のタグ分離部１０-２及びタグ基部１０-０が一体的に接合されている当初のタグ本体１０状態でなければ読み出し／書き込みできない領域Ｍ２又は領域Ｍ３１に記憶されたデータＬ１は、段階Ｂ以降では読み出し／書き込みできなくなる。
【００６６】
次に、流通段階Ｂでは、管理者ｂは、第２のタグ分離部１０-１が剥離された後のタグ本体１０が第１のタグ分離部１０-１及びタグ基部１０-０の接合体からなるＩＣタグ１を受け取り、領域Ｍ００，Ｍ１（図２参照）又は領域Ｍ３０，Ｍ３３（図４参照）に記憶されたデータＣ１，Ｃ２を読み出すことにより、管理者ｂは管理者ａからの情報を共有できる。しかし、管理者ｂは領域Ｍ００又は領域Ｍ３０にデータを書き込むことはできないので、領域Ｍ００又は領域Ｍ３０に記憶されている情報Ｃ１は改変できない。
【００６７】
そして、管理者ｂは、次の段階Ｃの管理者ｃと共有したい情報Ｃ３，Ｃ４（図３参照）は、領域Ｍ０１，Ｍ０２（図２参照）又は領域Ｍ３２，Ｍ３４（図４参照）に書き込む。なお、この書き込みに当たって、管理者ｂは管理者ｃによるデータ変更を禁止する情報Ｃ３は領域Ｍ０１又は領域Ｍ３２に書き込み、データ変更を許容する情報Ｃ４は領域Ｍ０２又はＭ３４に書き込む。
【００６８】
反対に、管理者ｂは、段階Ｃの管理者ｃに対して秘匿しておきたい秘密情報Ｌ２（図３参照）があれば、領域Ｍ１（図２参照）又は領域Ｍ３３（図４参照）に書き込む。
【００６９】
これにより、管理者ｂは、段階Ｂから段階Ｃへの出荷に際して、ＩＣタグ１の第１のタグ分離部１０-１をタグ基部１０-０のみからなる残余のタグ本体１０に対して剥離することで、第２のタグ分離部１０-２及びタグ基部１０-０が一体的に接合されている当初のタグ本体１０状態でなければ読み出し／書き込みできない領域Ｍ１又は領域Ｍ３３に記憶されたデータＬ２は、段階Ｃでは読み出し／書き込みできなくなる。
【００７０】
次に、流通段階Ｃでは、管理者ｃは、タグ本体１０が第１のタグ分離部１０-１が剥離されたタグ基部１０-０のみからなるＩＣタグ１を受け取り、領域Ｍ００又は領域Ｍ３０に記憶されたデータＣ１は読み出すことにより、管理者ｃは管理者ａからの情報Ｃ１を管理者ｂとともに共有できる。しかし、管理者ｃも管理者ｂと同様に領域Ｍ００又は領域Ｍ３０にデータを書き込むことはできないので、領域Ｍ００又はＭ３０に記憶されている情報Ｃ１は改変できない。
【００７１】
また、管理者ｃは、タグ基部１０-０のみからなるＩＣタグ１の領域Ｍ０１，Ｍ０２又は領域Ｍ３２，Ｍ３４に記憶されたデータＣ３を読み出すことにより、管理者ｃは管理者ｂからの情報Ｃ３を共有できる。この場合も、管理者ｃは領域Ｍ０１又は領域Ｍ３２にデータを書き込むことはできないので、領域Ｍ０１又は領域Ｍ３２に記憶されている情報Ｃ３は改変できない。そして、管理者ｃは、自身のみが必要な情報Ｌ３（図３参照）があれば、領域Ｍ０２又は領域Ｍ３４（図４参照）に書き込むことができる。
【００７２】
このように、本実施の形態のＩＣタグ１を適用した商品流通管理システムによれば、各段階で、全体で共有したいデータＣ１、ある段階以前又以降の一部の管理者間でのみ共有するデータＣ２，Ｃ３，Ｃ４、秘匿したいデータＬ１，Ｌ２，Ｌ３等を分けて管理することができる。
【００７３】
より具体的な例を挙げて説明すれば、例えば、メーカーａは、材料仕入れ先，仕入れ価格，性能検査情報等といった外部に公表したくない商品２００についての内部情報ではあるが、メーカーａ内に商品２００があるときには管理効率等の面で商品２００個々に保持していた方が好ましい秘密情報Ｌ１を、記憶部１４内の第１のタグ分離部１０-１に対応した領域Ｍ２又は領域Ｍ３１において格納管理できる。また、メーカーａは、商品２００に関しての基本データＣ１等といった外部に公表はするが販売店ｂや消費者ｃによって改変されたくない情報Ｃ１については、記憶部１４内の領域Ｍ００又は領域Ｍ３０において格納管理できる。また、販売取り扱い方法等といった消費者ｃに公表する必要はないが販売店ｂには公表しておく情報Ｃ２は、記憶部１４内の領域Ｍ１又は領域Ｍ３３において格納管理できる。
【００７４】
その上で、商品２００を出荷する際、メーカーａは、第２のタグ分離部１０-２を第１のタグ分離部１０-１及びタグ基部１０-０の接合体からなる残余のタグ本体１０から引き剥がして分離した後、出荷する。これにより、秘密情報Ｌ１が格納された領域Ｍ２又は領域Ｍ３１は商品２００に添付された残りのタグ本体１０から実質的になくなる。その一方で、タグ基部１０-０の領域Ｍ００又は領域Ｍ３０に格納されている商品２００に関する基本データＣ１については、書き換え，追記ができないように制限がかけられる。
【００７５】
次に商品２００を受け取った販売店ｂにおいては、記憶部１４内の領域Ｍ００又は領域Ｍ３０に格納されている商品２００に関する基本データＣ１や、領域Ｍ１又は領域Ｍ３３に格納されている販売取り扱い方法等といった情報Ｃ２を確認できる。
【００７６】
加えて、販売店ｂにおいては、仕入れ価格や販売価格管理情報等の内部情報Ｌ２を記憶部１４内の第１のタグ分離部１０-１に対応する領域Ｍ１又は領域Ｍ３３に書き込んで管理することができる。また、消費者ｃに商品２００を販売する際には、販売日等の消費者ｃによる書き換えを望まない付加データＣ３を記憶部１４内のタグ基部１０-０に対応する領域Ｍ０１又は領域Ｍ３２に入力して管理しておくことができるとともに、定休日案内等の消費者ｃによって消去改変されても構わない連絡情報Ｃ４を領域Ｍ０２又は領域Ｍ３４に入力して管理しておくことができる。なお、上述の販売店ｂによる領域Ｍ１又は領域Ｍ３３への内部情報Ｌ２の書き込みは、前述したメーカーａによって書き込まれている情報Ｃ２に対する追記であっても、上書であっても構わない。
【００７７】
その上で、販売店ｂは、消費者ｃが商品２００を購入した際には、販売店ｂの内部情報Ｌ２が対応して格納されている第１のタグ分離部１０-１を引き剥がして分離した後、タグ基部１０-０のみからなる残余のタグ本体１０が付設された商品２００を消費者ｃに引き渡す。これにより、秘密情報Ｌ２が格納された記憶部１４内の領域Ｍ１又は領域Ｍ３３は商品２００に添付された残りのタグ本体１０から実質的になくなる。その一方で、記憶部１４内の領域Ｍ０１又は領域Ｍ３２に格納されている販売日等の消費者ｃによる書き換えを望まない付加データＣ３については、書き換え，追記ができないように制限がかけられる。
【００７８】
消費者ｃは、第２のタグ分離部１０-２及び第１のタグ分離部１０-１が引き剥がされ、タグ本体１０がタグ基部１０-０だけとなったタグ１の記憶部１４から、領域Ｍ００又は領域Ｍ３０に格納されている商品２００に関する基本データＣ１，領域Ｍ０１又は領域Ｍ３２に格納されている販売日等の付加データＣ３，領域Ｍ００又は領域Ｍ３０に格納されている定休日案内等の連絡情報Ｃ４を確認可能である。
【００７９】
また、消費者ｃは、記憶部１４内の消費者ｃに割り当てられたタグ基部１０-０に対応する領域Ｍ０２又はＭ３４には、消費者ｃは当該商品２００の購入に関しての任意内容Ｌ３を書き込み管理することができる。
【００８０】
なお、上記実施例においては、例えば記憶部１４内の領域Ｍ０２又はＭ３４をメーカーａ及び消費者ｃのみが読み出し／書き込み可能な構成にしておくことにより、中途の販売店ｂに対してその記憶情報を秘匿することも可能であり、また消費者ｃのみが読み出し／書き込み可能な構成にしておくことにより、段階上位のメーカーａ及び販売店ｂは領域Ｍ０２又はＭ３４に読み出し／書き込みをできないようにすることも可能である。
【００８１】
このように、タグ分離部１０-２，１０-１それぞれの分離に対応してその機能が変化するＩＣタグ１を管理システムに利用することにより、情報の秘匿性が向上し、後々のデータの改ざんが極めて困難な管理システムを提供することができる。
【００８２】
図６は、図１及び図２、又は図４で説明した実施の形態のＩＣダグを商品流通管理システムに適用する場合におけるさらに好適なＩＣダグの実施例の説明図である。
【００８３】
上述したように、本実施の形態のＩＣダグ１の構成は、複数のタグ構成部１０-０，１０-１，１０-２を分離可能に一体的に接合して構成したＩＣタグ１から、積層されたタグ分離部１０-１，１０-２を順次剥離することでＩＣダグ１としての機能を変化させ、共有データや限定された秘密データを扱うことが可能になっているが、積層されたタグ分離部１０-１，１０-２の剥離忘れ、重複剥離等によって秘密データが漏洩したり、共有データが共有されない等の人為的ミスが発生する可能性も皆無ではない。
【００８４】
そこで、本実施例のＩＣダグ１は、図６に示すように、各タグ構成部１０-０，１０-１，１０-２の境界線２１，２２，２３部分表面の模様や配色を相互に異ならせることで、現在のＩＣダグ１の剥離状態（分離状態及び流通段階）の目視認識性の向上をはかれる構成になっている。これにより、最上位層のタグ構成部１０-ｘの認識が遠目からでも一目瞭然となり、剥離忘れ、重複剥離等によるＩＣダグ１の取り扱いの人為的ミスによる秘密データの漏洩等を防止できるようになっている。
【００８５】
次に、図１及び図２、又は図４で説明した如くのＩＣタグ１のタグ構成部１０-０，１０-１，１０-２の具体的な分離構造について、図面に基づき説明する。
【００８６】
図７は、本実施の形態のＩＣタグにおけるタグ分離部の分離構造についての第１実施例である。
【００８７】
図７において、ＩＣタグ１は、薄板板状の第１のタグ構成部を構成するタグ基部１０-０上に、第２のタグ構成部を構成する可撓性を有したシート状の第１のタグ分離部１０-１及び第３のタグ構成部を構成する同じく可撓性を有したシート状の第２のタグ分離部１０-２を順次接合して重ね合わせた構成になっている。
【００８８】
第１のタグ分離部１０-１及び第２のタグ分離部１０-２は、図中、破線で表わした波状の破断線３５に沿って、分離部分１０-１ｐ，１０-２ｐと非分離部分１０-１ｑ，１０-２ｑとに平面的に分割されている。そして、第２のタグ分離部１０-２の非分離部分１０-２ｑの他側面（裏面）は、第１のタグ分離部１０-１の非分離部分１０-１ｑの一側面（表面）に一体的に貼着され、さらに第１のタグ分離部１０-１の非分離部分１０-１ｑの他側面（裏面）は、タグ基部１０-０の一側面（表面）上に一体的に貼着されている。これにより、第２のタグ分離部１０-２の非分離部分１０-２ｑは第１のタグ分離部１０-１の非分離部分１０-１ｑに対して、さらに第１のタグ分離部１０-１の非分離部分１０-１ｑはタグ基部１０-０に対して分離（剥離）できないように一体的に接合された構造になっている。
【００８９】
これに対して、第２のタグ分離部１０-２の分離部分１０-２ｐの他側面（裏面）における波状の破断線３５で画成された中央の凸部分１０-２ｐｐとその両側縁部分１０-２ｐ１，１０-２ｐ２とは、第１のタグ分離部１０-１の分離部分１０-１ｐの一側面（表面）における中央の凸部分１０-１ｐｐとその両側縁部分１０-１ｐ１，１０-１ｐ２とに部分的に貼着され、さらに第１のタグ分離部１０-１の分離部分１０-１ｐの他側面（裏面）は、その中央の凸部分１０-１ｐｐとその両側縁部分１０-１ｐ１，１０-１ｐ２とがタグ基部１０-０上に部分的に貼着されている。これにより、第２のタグ分離部１０-２の分離部分１０-２ｐにおける非貼着部分を持ち上げることによって、その分離部分１０-２ｐは破断線３５に沿って非分離部１０-２ｑに対して切り離され、第１のタグ分離部１０-１の分離部分１０-１ｐに対して剥離可能な構成になっている。また、同様にして、第１のタグ分離部１０-１の分離部分１０-１ｐにおける非貼着部分を引き上げることによって、その分離部分１０-１ｐは破断線３５に沿って非分離部分１０-１ｑに対して切り離され、タグ基部１０-０に対して剥離可能な構成になっている。
【００９０】
そして、第２のタグ分離部１０-２及び第１のタグ分離部１０-１それぞれの非分離部分１０-２ｑ，１０-１ｑには、波状の破断線３５によって区画された分離部分１０-２ｐ，１０-１ｐの凸部分１０-２ｐｐ，１０-１ｐｐを横断して延びる信号ライン３２及び信号ライン３１が形成され、信号ライン３２，３１それぞれの両端は、図１に示した第１タグ構成部１０-２に形成されたＩＣチップ１９の制御部１３に信号接続されている。これにより、第２のタグ分離部１０-２には、信号ライン３２によってＩＣチップ１９に対して凸部分１０-２ｐｐを横断する部分を備えた閉回路ループ４２が形成され、また第１のタグ分離部１０-１には、信号ライン３１によってＩＣチップ１９に対して凸部分１０-１ｐｐを横断する部分を備えた閉回路ループ４１が形成されている。
【００９１】
上述の如く構成される本実施例のＩＣタグ１における第２、第１のタグ分離部１０-２，１０-１の分離構造によれば、分離部分１０-２ｐ（１０-１ｐ）の両側縁部分１０-２ｐ１，１０-２ｐ２（１０-１ｐ１，１０-１ｐ２）の２箇所の接合部（貼着部分）の中、一方の縁部分１０-２ｐ１（１０-１ｐ１）の接合が剥離されただけでは、信号ライン３２（３１）が横断する凸部分１０-２ｐｐ（１０-１ｐｐ）の貼着が剥離されない限りは、信号ライン３２（３１）の閉回路ループ４２（４１）は遮断（途中切断）されることがなく、分離部分１０-２ｐ（１０-１ｐ）が非分離部分１０-２ｑ（１０-１ｑ）に対して切り離され、ＩＣタグ１から第２のタグ分離部１０-２（第１のタグ分離部１０-１）が分離されたと見なされない。また、分離部分１０-２ｐ（１０-１ｐ）の信号ライン３２（３１）が横断する凸部分１０-２ｐｐ（１０-１ｐｐ）は、分離部分１０-２ｐ（１０-１ｐ）の両側縁部分１０-２ｐ１，１０-２ｐ２（１０-１ｐ１，１０-１ｐ２）の両方が剥離されてから、非分離部分１０-２ｑ（１０-１ｑ）に対して切り離されるようになっている。
【００９２】
これにより、分離部分１０-２ｐ（１０-１ｐ）の信号ライン３２（３１）が横断する凸部分１０-２ｐｐ（１０-１ｐｐ）のみが、分離部分１０-２ｐ（１０-１ｐ）の両側縁部分１０-２ｐ１，１０-２ｐ２（１０-１ｐ１，１０-１ｐ２）に対して先行単独して非分離部分１０-２ｑ（１０-１ｑ）から切り離しできない構造になっている。さらに、分離部分１０-２ｐ（１０-１ｐ）の両側縁部分１０-２ｐ１，１０-２ｐ２（１０-１ｐ１，１０-１ｐ２）のいずれか一方が剥離され、凸部分１０-２ｐｐ（１０-１ｐｐ）が剥離された状態では、残った片側縁部分１０-２ｐ１，１０-２ｐ２（１０-１ｐ１，１０-１ｐ２）のいずれか他方のみだけでは、分離部分１０-２ｐ（１０-１ｐ）をタグ基部１０-０を含む残余部分によって構成されるタグ本体１０に対しては積層状態に保つことはできない構成になっている。
【００９３】
そして、本願実施例のＩＣタグ１では、ＩＣチップ１９に設けられた制御部１３（図１参照）が、上述した分離部１０-２ｐ，１０-１ｐの切り離しによる信号ライン３２，３１の閉回路ループ４２，４１の途中切断（開放）の検出に応じて、各管理段階Ａ，Ｂ，Ｃのリーダ／ライタ装置８０による、記憶部１４の記憶領域Ｍに対しての入出力インタフェース部１２を介しての読み出し／書き込みを、図３に示す如く制御する。なお、この際、記憶部１４は、図１に示したように、分離部分１０-２ｐ，分離部１０-１ｐに記憶部１４-２，記憶部１４-１が配置されている構成であっても、図４に示したように非分離部１０-２ｑ，非分離部１０-１ｑ又はタグ基部１０-０１に記憶部１４-２，記憶部１４-１が配置されている構成であってもよい。そして、前者による構成の場合は、図７においては図示省略したが、分離部１０-２ｐ，分離部１０-１ｐそれぞれの切り離しによって、上述した閉回路ループ５４-３，５４-２の途中切断（開放）とともに、制御部１３と記憶部１４-３，１４-１それぞれとの間の別途設けられた読み出し／書き込みのための信号ライン（データ信号ライン）も途中切断される。
【００９４】
なお、本実施例では、分離部１０-２ｐ（１０-１ｐ）は、その両側縁部分１０-２ｐ１，１０-２ｐ２（１０-１ｐ１，１０-１ｐ２）と信号ライン３２（３１）が横断する凸部分１０-２ｐｐ（１０-１ｐｐ）との３箇所で接合してＩＣタグ１に積層状態に保つ構成とし、信号ライン３２（３１）を途中切断する構成としたが、別の接合構成であってもよい。
【００９５】
図８は、上述した変形例に対応した、本実施の形態のＩＣタグにおけるタグ分離部の分離構造についての第２実施例である。
【００９６】
本実施例では、説明簡便のため、ＩＣタグ１をタグ基部１０-０に対する第１のタグ分離部１０-１と第２のタグ分離部１０-２との３枚のタグ構成部の積層構造とした。
【００９７】
本実施例では、第２の分離部１０-２（第１のタグ分離部１０-１ｐ）の一部分の剥離により第２のタグ分離部１０-２（第１のタグ分離部１０-１）の剥離と認識されないように、信号ライン３２-１〜３２-ｍ（３１-１〜３１-ｍ）をＩＣチップ１９から複数並列に設け、各信号ライン３２-１〜３２-ｍ（３１-１〜３１-ｍ）の途中に形成された、前述した実施例における分離部１０-２ｐ（１０-１ｐ）の凸部分１０-２ｐｐ（１０-１ｐｐ）の如くの開放端接点５２-１〜５２-ｍ（５１-１〜５１-ｍ）を、第２のタグ分離部１０-２（第１のタグ分離部１０-１）の接合面周囲に分散配置して構成されている。そして、これら複数の開放端接点５２-１〜５２-ｍ（５１-１〜５１-ｍ）で囲まれた第２のタグ分離部１０-２（第１のタグ分離部１０-１）部分の内側部分又は外側部分の接合面に粘着材を塗布して、他の層である第１のタグ分離部１０-１（タグ基部１０-０）に接合されている。
【００９８】
本実施例においては、これら分離部１０-２ｐ（１０-１ｐ）の全ての接点開放端接点５２-１〜５２-ｍ（５１-１〜５１-ｍ）が開放されない限りは、第２のタグ分離部１０-２（第１のタグ分離部１０-１）の剥離とは制御部１３によって認められない構造とすることもできる。
【００９９】
図９は、本実施の形態のＩＣタグにおけるタグ分離部の分離構造についての第３実施例の平面図及びその要部の部分断面図である。
【０１００】
本実施形態のＩＣタグ１は、図９（Ａ）の平面図に示すように、図７において示した両端が第１タグ構成部としてのタグ基部１０-０に実装されたＩＣチップ１９に接続され、第３のタグ構成部としての第２の分離部１０-２を横断して延びる信号ライン３２の閉回路ループ４２と、両端が同じくタグ基部１０-０に実装されたＩＣチップ１９に接続され、第２のタグ構成部としての第１の分離部１０-１を横断して延びる信号ライン３１の閉回路ループ４１とをそれぞれ４組４２-１〜４２-４，４１-１〜４1-４ずつ設け、各一対の信号ライン３２-１／３１-１〜３２-４／３１-４の各タグ構成部１０-０〜１０-２間の接点部６０を矩形状のＩＣタグ１のそれぞれ角隅に位置させるように延設した構成になっている。
【０１０１】
そして、図９に図示したＩＣタグ１の場合、タグ基部１０-０及び第１のタグ分離部１０-１からなる接合体に対して第２のタグ分離部１０-２を切り離す際、またタグ基部１０-０に対して第１のタグ分離部１０-１を切り離す際、その剥離作業が行い易いように、第２のタグ分離部１０-２は第１のタグ分離部１０-１よりも、第１のタグ分離部１０-１はタグ基部１０-０よりもタグ構成部表面積が小さくなるように、各タグ構成部１０-０〜１０-２は形成されている。なお、各タグ構成部１０-０〜１０-２のタグ構成部表面の形状は、図９に示した矩形状に限るものではなく、タグ構成部１０-０〜１０-２の形状を順次小さくせずとも、接点部６０を上層のタグ構成部１０-ｙほど下層のタグ構成部１０-ｙ-1よりも内方に配し、上層のタグ構成部１０-ｙの接点部６０の内側のみ粘着材により下層のタグ構成部１０-ｙ-1と接続したり、上層及び下層のタグ構成部１０-ｙ，１０-ｙ-1に形成された対応する接点部６０自体でタグ構成部１０を連結したりする構造を採用することによっても、その剥離作業の作業性の向上をはかることができる。
【０１０２】
図９（Ｂ)は、本実施の形態のＩＣタグにおけるタグ分離部の分離構造についての第３実施例における接点部の斜視図である。
【０１０３】
図９（Ｂ)に示すように、例えば一対の閉回路ループ４２-１，４１-１を構成する一対の信号ライン３２-１，３１-１は、信号ライン３１-１がＩＣチップ１９から導出された共通線６４と、ＩＣチップ１９に導入された信号線６１と、これら信号線６１と共通線６４とを接続する接点部６０１とにより構成され、信号ライン３２-１がＩＣチップ１９から導出された共通線６４と、ＩＣチップ１９に導入される信号線６２と、これら信号線６２と共通線６４とを接続する接点部６０２とにより構成されている。
【０１０４】
タグ基部１０-０の第１のタグ分離部１０-１に対する接合面の各角隅には、上述した信号線６１，６２，及び共通線６４の延出端の接続片部６１ｐ，６２ｐ，６４ｐが露出している。
【０１０５】
第１のタグ分離部１０-１のタグ基部１０-０に対する接合面には、共通線６４の延出端の接続片部６４ｐと信号線６１の延出端の接続片部６１ｐとを接続する接続片部６１ｑが形成されている。この信号線６１の接続片部６１ｐ，共通線６４の接続片部６４ｐ，及び接続片部６１ｑによって、接点部６０１が構成される。また、信号線６２の延出端としての接続片部６２ｐに当接可能な接続片部６２ｑが形成されている。
【０１０６】
さらに、第１のタグ分離部１０-１には、反対側の第２のタグ分離部１０-２に対する接合面に、接続片部６１ｑを介して共通線６４の延出端の接続片部６４ｐに接続されて共通線６４の延出された分岐端を形成する接続片部６４ｑと、接続片部６２ｑに接続された接続片部６２ｒとが形成されている。
【０１０７】
これに対し、第２のタグ分離部１０-２の第１のタグ分離部１０-１に対する接合面には、第１のタグ分離部１０-１の接合面に形成された接続片部６４ｑと接続片部６２ｒとを接続するための接続片部６２ｓが形成されている。この接続片部６２ｒ，６４ｑ，６２ｓ，及び接点部６０１によって、接点部６０２が構成される。
【０１０８】
そして、本実施例では、３つのタグ構成部１０-０，１０-１，１０-２が一体的に接合されている場合には、タグ基部１０-０に備えられたＩＣチップ１９からの共通線６４を介しての出力（基準電圧）は、タグ基部１０-０の接続片部６４ｐから、第１，第２のタグ分離部１０-１，１０-２の接続片部６１ｑ，６４ｑ，６２ｓ，６２ｒ，６２ｑをそれぞれ介して、最終的にタグ基部１０-０の接続片部６１ｐ，６２ｐにそれぞれ供給され、各信号線６１，６２を介してＩＣチップ１９に入力される。
【０１０９】
次に、３つのタグ構成部１０-０，１０-１，１０-２が一体的に接合されている状態から第２のタグ分離部１０-２が剥離（分離）され、タグ基部１０-０と第１のタグ分離部１０-１のみが一体的に接合されている場合には、ＩＣチップ１９からの共通線６４を介しての出力は、第１のタグ分離部１０-１の接続片部６４ｑ，６２ｒ間が開放されてしまうため、タグ基部１０-０の接続片部６４ｐから接続片部６１ｑを介してタグ基部１０-０の接続片部６１ｐにのみ供給され、信号線６１を介してのみＩＣチップ１９に入力される。
【０１１０】
さらに、この状態から第１のタグ分離部１０-１が剥離（分離）された場合は、ＩＣチップ１９からの共通線６４を介しての出力は、タグ基部１０-０の接続片部６４ｐ，６１ｐ間も開放されてしまうため、いずれの信号線６１，６２にも供給されない。
【０１１１】
これら信号線６１，６２を介して供給される状態出力に基づいて、ＩＣチップ１９の制御部１３は、第２のタグ分離部１０-２及び第１のタグ分離部１０-１が両方とも積層されていること、その状態から第２のタグ分離部１０-２のみが剥離されたこと、さらに残っている第１のタグ分離部１０-１も剥離されたことを、それぞれ認識する。
【０１１２】
すなわち、閉回路ループ４２-１は、第２のタグ分離部１０-２が分離さたか否かを検出するための検出回路を構成し、閉回路ループ４１-１は、第１のタグ分離部１０-１が分離さたか否かを検出するための検出回路を構成する。
【０１１３】
図１０は、第３実施例のＩＣタグにおいて全てのタグ構成部が揃っている状態を示した斜視図である。
【０１１４】
図１１は、第３実施例のＩＣタグにおいて各タグ構成部が分離された状態を示した斜視図である。
【０１１５】
なお、図９（Ｂ)及び図１１では、説明理解の容易のために、第２のタグ分離部１０-２の剥離後も、下層である第１のタグ分離部１０-１の接合面表面には接続片部６４ｑ，６２ｒがそれぞれ露出されているように表わされ、同様に第１のタグ分離部１０-１の剥離後も、タグ基部１０-０の接合面表面には接続片部６１ｐ，６２ｐ，６４ｐがそれぞれ露出されているように表わされている。しかしながら、実際には、上層の第２のタグ分離部１０-２，第１のタグ分離部１０-１のそれぞれ剥離に伴い、接続片部６４ｑ，６２ｒ及び接続片部６１ｐ，６２ｐ，６４ｐは、第２のタグ分離部１０-２，第１のタグ分離部１０-１とともに第１のタグ分離部１０-１，タグ基部１０-０それぞれの接合面表面より剥離される構造になっており、残存の接点を利用したデータの改ざん等の防止がはかられている。
【０１１６】
図１２は、本発明のさらに他の実施の形態に係るＩＣタグの構成図である。図１３は、本実施の形態のＩＣタグにおけるタグ構成部それぞれの構成図である。
【０１１７】
本実施の形態によるＩＣタグ１は、図１に示したアンテナ部を介してリーダ／ライタ装置８０（図１３参照）との間でデータの送受信を行う入出力インタフェース部１２の構成要素としてのアンテナ７１及び受信回路７２を、ＩＣタグ１を構成する第１のタグ構成部としてのタグ基部１０-０，第２のタグ構成部としての第１のタグ分離部１０-１，第３のタグ構成部としての第２のタグ分離部１０-２それぞれに設けたことを特徴とする。
【０１１８】
さらに、本実施の形態によるＩＣタグ１は、タグ基部１０-０，第１のタグ分離部１０-１，第２のタグ分離部１０-２それぞれに設けられたアンテナ７１-０〜７１-２及び受信回路７２-０〜７２-３に関して共振周波数を同じく構成した上で、タグ基部１０-０，第１のタグ分離部１０-１，及び第２のタグ分離部１０-２が一体的に接合された状態では、タグ基部１０-０及び第１のタグ分離部１０-１それぞれに設けられたアンテナ７１-０，７１-１及び受信回路７２-０，７２-１によるリーダ／ライタ装置８０からの無線信号の受信を不可にして、第２のタグ分離部１０-２に設けられたアンテナ７１-２及び受信回路７２-２によってのみリーダ／ライタ装置８０からの無線信号を受信できるように構成し、第２のタグ分離部１０-２がタグ基部１０-０及び第１のタグ分離部１０-１から分離された状態では、タグ基部１０-０に設けられたアンテナ７１-０及び受信回路７２-０によるリーダ／ライタ装置８０からの無線信号の受信を不可にして、第１のタグ分離部１０-１に設けられたアンテナ７１-１及び受信回路７２-１によってのみリーダ／ライタ装置８０からの無線信号を受信できるように構成し、第１のタグ分離部１０-１がタグ基部１０-０から分離された状態で初めてタグ基部１０-０に設けられたアンテナ７１-０及び受信回路７２-０によってリーダ／ライタ装置８０からの無線信号の受信できるように構成されていることを特徴とする。
【０１１９】
そのために、本実施の形態におけるＩＣタグ１のタグ基部１０-０，第１のタグ分離部１０-１，第２のタグ分離部１０-２は、図１３に示す構成になっている。
【０１２０】
タグ基部１０-０，第１のタグ分離部１０-１，第２のタグ分離部１０-２には、各タグ構成部１０-０〜１０-２を接合した状態でＩＣタグ１の厚さ方向に相互に重ならないように、各タグ構成部１０-０〜１０-２の接合面に沿った方向に相互に位置をずらせてアンテナ７１-０〜７１-２及び送受信回路７２-０〜７２-２が配置された構成になっている。
【０１２１】
そして、第２のタグ分離部１０-２には、第１のタグ分離部１０-１との接合状態で、アンテナ７１-０，７１-１による無線受信を不可ならしめるようにアンテナ７１-０，７１-１を覆うシールドシート７３-２が形成され、第１のタグ分離部１０-１には、タグ基部１０-０との接合状態で、アンテナ７１-０による無線受信を不可ならしめるようにアンテナ７１-０を覆うシールドシート（導電体）７３-１が形成されている。
【０１２２】
各タグ構成部１０-１〜１０-３に形成された送受信回路７２-０〜７２-２は、接合面に形成された接続片部７４ｓ，７４ｑ，７４ｒ，７４ｐを介して、第１タグ構成部１０-１に設けられた制御部１３に接続され、制御部１３には、アンテナ７１-０〜７１-２を介して送受信回路７２-０〜７２-２によりそれぞれ受信されたリーダ／ライタ装置８０からの無線信号が供給される構成になっている。
【０１２３】
したがって、本実施の形態のＩＣタグ１では、タグ基部１０-０及び第１のタグ分離部１０-１の接合体に対する第２のタグ分離部１０-２の接合・分離状態、タグ基部１０-０に対する第１のタグ分離部１０-１の接合・分離状態に応じて、無線受信信号を制御部１３に供給する送受信回路７２-０〜７２-２が異なることから、この無線受信信号を受信した送受信回路７２-０〜７２-２に基づいて、制御部１３は第１のタグ分離部１０-１，第２のタグ分離部１０-２の接合・分離に基づくＩＣタグ１の層構成の認識でき、図３に示したような記憶部１４の記憶領域Ｍの制限を変更することができる。
【０１２４】
なお、図１２及び図１３に示したＩＣタグ１では、タグ基部１０-０，第１のタグ分離部１０-１，及び第２のタグ分離部１０-２それぞれがアンテナ７１及び送受信回路７２を有し、タグ基部１０-０のみに制御部１３，記憶部１４を有する構成としたが、タグ基部１０-０，第１のタグ分離部１０-１，及び第２のタグ分離部１０-２それぞれに制御部１３-０〜１３-２，記憶部１４-０〜１４-２を設け、各制御部１３-０〜１３-２間を接続片部７４ｓ，７４ｑ，７４ｒ，７４ｐを介してデータ接続可能にした構成であってもよい。
【０１２５】
また、本実施の形態では、第２のタグ分離部１０-２，第１のタグ分離部１０-１にはシールドシート（導電体）７３-２，７３-１を設け、それぞれ下層のタグ構成部１０-１，１０-０に設けられたアンテナ７１-１，７１-０によるリーダ／ライタ装置８０からの無線信号の受信を不可ならしめるようにして記憶部１４の記憶領域Ｍの制限を変更するように構成したが、アンテナ７１-０〜７１-２の共振周波数をタグ構成部１０-１〜１０-２相互で異ならせることによっても記憶部１４の記憶領域Ｍの制限を変更する可能である。この場合は、さらに、各管理段階Ａ〜Ｃのリーダ／ライタ装置８０毎にその利用可能な無線信号をＩＣタグ１のアンテナ７１-０〜７１-２の共振周波数に合わせて異なせておけば、シールドシートを省略することも可能である。
【０１２６】
本発明のタグ及び管理システムは以上説明したとおりであるが、その具体的な実施の形態は上記説明した実施の形態に限定されるものではない。例えば、ＩＣタグ１は、タグ基部１０-０に対して第１のタグ分離部１０-１及び第２のタグ分離部１０-２を順次積層した構造で構成したが、タグ基部１０-０に対して第１のタグ分離部１０-１及び第２のタグ分離部１０-２それぞれを平面的に位置ずらせて並べて積層したり、タグ基部１０-０，第１のタグ分離部１０-１及び第２のタグ分離部１０-２を順次接続し、第１のタグ分離部１０-１，第２のタグ分離部１０-２それぞれの分離によりタグ本体の大きさ（面積）が変化したりする構造であってもよい。また、タグ分離部の数も２つに限ることなく、任意であることは勿論である。
【図面の簡単な説明】
【０１２７】
【図１】本発明の一実施の形態に係るＩＣタグの構成図である。
【図２】本実施の形態のＩＣタグを構成するタグ基部及びタグ分離部それぞれに設けられた記憶部に関してのアクセス制限の説明図である。
【図３】本実施の形態のＩＣタグを構成するタグ基部及びタグ分離部それぞれに設けられた記憶部に関してのアクセス制限をまとめた表である。
【図４】本発明の他の実施の形態によるＩＣタグを構成するタグ基部及びタグ分離部それぞれに設けられた記憶部に関してのアクセス制限の説明図である。
【図５】本実施の形態のＩＣダグを商品流通管理システムに適用した場合を例に、流通段階におけるＩＣダグの状態例を示した図である。
【図６】図１及び図２、又は図４で説明した実施の形態のＩＣダグを商品流通管理システムに適用する場合におけるさらに好適なＩＣダグの実施例の説明図である。
【図７】本実施の形態のＩＣタグにおけるタグ分離部の分離構造についての第１実施例である。
【図８】本実施の形態のＩＣタグにおけるタグ分離部の分離構造についての第２実施例である。
【図９】本実施の形態のＩＣタグにおけるタグ分離部の分離構造についての第３実施例の平面図及びその要部の部分断面図である。
【図１０】第３実施例のＩＣタグにおいて全てのタグ構成部が揃っている状態を示した斜視図である。
【図１１】第３実施例のＩＣタグにおいて各タグ構成部が分離された状態を示した斜視図である。
【図１２】本発明のさらに他の実施の形態に係るＩＣタグの構成図である。
【図１３】本実施の形態のＩＣタグにおけるタグ構成部それぞれの構成図である。
【図１４】従来の一般的な無線ＩＣタグの構造と、この無線ＩＣタグを使用した一般的な管理システムの構成図である。
【符号の説明】
【０１２８】
１  ＩＣタグ
１０-０  タグ基部，１０-１  第１のタグ分離部，１０-２  第２のタグ分離部
１１-１  第１の接合面，１１-２  第２の接合面
１２  入出力インタフェース部
１３  制御部
１４-０〜１４-２  記憶部
１９  ＩＣチップ
２１，２２，２３  境界線
３１，３２  信号ライン
４１，４２  閉ループ回路
５１，５２  開放端接点
６０  接点部
６１  信号線
６１ｐ，６１ｑ  接続片部
６２  信号線
６２ｐ，６２ｑ，６２ｒ，６２ｓ  接続片部
６４  共通線
６４ｐ，６１ｑ  接続片部
７１  アンテナ
７２  送受信回路
７３  シールドシート（導電体）
７４  接続片部
８０  リーダ／ライタ装置
８１  制御部
８２  アンテナ部
８３  表示部
９０  データ処理装置
９１  コンピュータ本体
９２  表示部
９３  操作部
１０１  無線ＩＣタグ
１０２  ＩＣチップ
１０３  無線通信用制御部
１０４  記憶部
１０５  アンテナ部
２００  商品
【図１】
2006031110.tif 000003
【図２】
2006031110.tif 000004
【図３】
2006031110.tif 000005
【図４】
2006031110.tif 000006
【図５】
2006031110.tif 000007
【図６】
2006031110.tif 000008
【図７】
2006031110.tif 000009
【図８】
2006031110.tif 000010
【図９】
2006031110.tif 000011
【図１０】
2006031110.tif 000012
【図１１】
2006031110.tif 000013
【図１２】
2006031110.tif 000014
【図１３】
2006031110.tif 000015
【図１４】
2006031110.tif 000016